(57)【特許請求の範囲】
【請求項１】
鍵穴を有する鍵穴部材と、
前記鍵穴に挿入部材が挿入される過程で前記挿入部材に押されて第１位置から移動し、かつ前記挿入部材が前記鍵穴から抜かれる過程で前記第１位置に戻らない移動部材と
を備え、
前記移動部材は、前記鍵穴に前記挿入部材が挿入される過程で前記挿入部材により押されることにより、前記鍵穴の少なくとも一部を覆う前記第１位置から前記第１位置より広く前記鍵穴を露出させる第２位置へ移動する、錠。
【請求項２】
鍵穴を有する内筒を備える錠であって、
前記錠は、
キーコードを変更可能であり、キーコードをリセット可能な共通鍵およびキーコードをリセット不可能な固有鍵で開錠可能な可変錠であり、
前記鍵穴に挿入部材が挿入される過程で前記挿入部材に押されて第１位置から移動し、かつ前記挿入部材が前記鍵穴から抜かれる過程で前記第１位置に戻らない移動部材と、
前記内筒と前記移動部材との間に配置され、第１表示態様を示す第１表示領域および前記第１表示態様とは異なる第２表示態様を示す第２表示領域を含む表示盤と、
前記内筒および前記表示盤を回転可能に収容し、かつ前記移動部材を移動可能に収容する外筒と
を備え、
前記移動部材は、前記第１表示態様および前記第２表示態様とは異なる第３表示態様を示す第３表示領域を含み、
前記外筒は、
前記移動部材が前記第１位置から移動し、開錠可能である鍵が前記共通鍵である場合、前記第１表示領域の少なくとも一部を目視可能に露出し、前記移動部材が前記第１位置から移動し、開錠可能である鍵が前記固有鍵である場合、前記第２表示領域の少なくとも一部を目視可能に露出し、前記移動部材が前記第１位置にある場合、前記第３表示領域の少なくとも一部を目視可能に露出する表示窓を有する、錠。
【請求項３】
前記移動部材は、前記第１位置にある場合、前記外筒の内壁のうち前記鍵穴から第１方向にある部分で支持され、かつ前記外筒の内壁のうち前記鍵穴から前記第１方向とは異なる第２方向にある部分と離間しており、前記鍵穴に前記挿入部材が挿入される過程で前記挿入部材に押されることにより、前記第１位置から前記第２方向に移動する、請求項２に記載の錠。
【請求項４】
前記移動部材は、前記第１位置にある場合、前記外筒の内壁のうち前記鍵穴から前記第１方向に形成されている凹部に係止されており、前記鍵穴に前記挿入部材が挿入される過程で前記挿入部材に押されることにより、前記凹部からはずれて移動する、請求項３に記載の錠。
【請求項５】
前記第１方向は、前記鍵穴に対して水平方向であり、前記第２方向は、前記鍵穴に対して垂直方向である、請求項３または請求項４に記載の錠。
【請求項６】
前記表示盤と前記移動部材との間に配置される仕切盤をさらに備え、
前記外筒は、前記仕切盤を回転不可能に収容する、請求項２から請求項５のいずれか１つに記載の錠。
【発明の詳細な説明】
【技術分野】
【０００１】
本発明は、錠に関する。
【背景技術】
【０００２】
特許文献１には、施錠したか否かを確認できる差込鍵が開示されている。特許文献２には、鍵穴に挿入されたときに鍵穴の内壁に係止され、無線操作により係止が解除される鍵防護具が開示されている。
特許文献１  特開２０１３−２４９６８４号公報
特許文献２  特開２００２−２１３１１８号公報
【発明の概要】
【発明が解決しようとする課題】
【０００３】
遊技機などに用いられる錠において、流通過程などで不正に錠が開けられたことを把握できるようにすることが望まれている。
【課題を解決するための手段】
【０００４】
本発明の一態様に係る錠は、鍵穴を有する鍵穴部材と、鍵穴に挿入部材が挿入される過程で挿入部材に押されて第１位置から移動し、かつ挿入部材が鍵穴から抜かれる過程で第１位置に戻らない移動部材とを備える。
【０００５】
上記錠において、移動部材は、鍵穴に挿入部材が挿入される過程で挿入部材により押されることにより、鍵穴の少なくとも一部を覆う第１位置から第１位置より広く鍵穴を露出させる第２位置へ移動してよい。
【０００６】
上記錠は、キーコードを変更可能であり、キーコードをリセット可能な共通鍵およびキーコードをリセット不可能な固有鍵で開錠可能な可変錠でよい。
【０００７】
上記錠において、鍵穴部材は、内筒であり、上記錠は、内筒と移動部材との間に配置され、第１表示態様を示す第１表示領域および第１表示態様とは異なる第２表示態様を示す第２表示領域を含む表示盤と、内筒および表示盤を回転可能に収容し、かつ移動部材を移動可能に収容する外筒とをさらに備え、移動部材は、第１表示態様および第２表示態様とは異なる第３表示態様を示す第３表示領域を含み、外筒は、移動部材が第１位置から移動し、開錠可能である鍵が共通鍵である場合、第１表示領域の少なくとも一部を目視可能に露出し、移動部材が第１位置から移動し、開錠可能である鍵が固有鍵である場合、第２表示領域の少なくとも一部を目視可能に露出し、移動部材が第１位置にある場合、第３表示領域の少なくとも一部を目視可能に露出する表示窓を有してよい。
【０００８】
上記錠において、移動部材は、第１位置にある場合、外筒の内壁のうち鍵穴から第１方向にある部分で支持され、かつ外筒の内壁のうち鍵穴から第１方向とは異なる第２方向にある部分と離間しており、鍵穴に挿入部材が挿入される過程で挿入部材に押されることにより、第１位置から第２方向に移動してよい。
【０００９】
上記錠において、移動部材は、第１位置にある場合、外筒の内壁のうち鍵穴から第１方向に形成されている凹部に係止されており、鍵穴に挿入部材が挿入される過程で挿入部材に押されることにより、凹部からはずれて移動してよい。
【００１０】
上記錠において、第１方向は、鍵穴に対して水平方向であり、第２方向は、鍵穴に対して垂直方向でよい。
【００１１】
上記錠において、表示盤と移動部材との間に配置される仕切盤をさらに備え、外筒は、仕切盤を回転不可能に収容してよい。
【００１２】
なお、上記の発明の概要は、本発明の特徴の全てを列挙したものではない。また、これらの特徴群のサブコンビネーションもまた、発明となりうる。
【図面の簡単な説明】
【００１３】
【図１】本実施形態に係るシリンダ錠の外観斜視図の一例を示す図である。
【図２】本実施形態に係るシリンダ錠の分解斜視図の一例を示す図である。
【図３】移動部材が第１位置にある場合のシリンダ錠を表面から見た図である。
【図４】初期操作治具がシリンダ錠の鍵穴に挿入される様子を示すシリンダ錠の斜視図の一例を示す図である。
【図５】初期操作治具がシリンダ錠の鍵穴に挿入される様子を示すシリンダ錠の断面図の一例を示す図である。
【図６】初期操作治具がシリンダ錠の鍵穴に挿入された状態を示す断面図の一例を示す図である。
【図７】移動部材が第２位置にある場合のシリンダ錠を表面から見た図である。
【図８】移動部材が第２位置にある場合に、共通鍵が鍵穴に挿入される様子を示すシリンダ錠の断面図の一例を示す図である。
【図９】移動部材が第２位置にある場合に、共通鍵が鍵穴に挿入された状態を示すシリンダ錠の断面図の一例を示す図である。
【図１０】移動部材が第２位置にある場合に、固有鍵が鍵穴に挿入される様子を示すシリンダ錠の断面図の一例を示す図である。
【図１１】移動部材が第２位置にある場合に、固有鍵が鍵穴に挿入された状態を示すシリンダ錠の断面図の一例を示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１５】
図１は、本実施形態に係るシリンダ錠１０の外観斜視図の一例を示す図である。シリンダ錠１０は、キーコードを変更可能なシリンダ錠である。シリンダ錠１０を開錠または施錠するのに用いられる鍵は、キーコードをリセット可能な共通鍵５０と、キーコードをリセット不可能な固有鍵６０とがある。シリンダ錠１０は、開錠可能なキーコードに応じて、共通鍵５０および固有鍵６０のいずれか一方で開錠または施錠できる。
【００１６】
共通鍵５０は、複数のシリンダ錠に共通のキーコードを有する鍵である。共通鍵５０は、入手が比較的容易なセキュリティが低い鍵である。固有鍵６０は、固有のキーコードを有する鍵である。固有鍵６０は、入手に制限があり、不正に入手することが困難なセキュリティが高い鍵である。なお、本実施形態では、キーコードを変更可能なシリンダ錠を例に説明するが、シリンダ錠は、キーコードを変更できない錠でもよい。さらに言えば、鍵穴を有する錠であれば、シリンダ錠でなくてもよい。
【００１７】
シリンダ錠１０は、外筒２０および内筒３０を備える。外筒２０は、中心軸を中心に内筒３０を回転可能に収容する。内筒３０は、鍵が挿入される鍵穴３１を有する。内筒３０は、鍵穴部材の一例である。内筒３０は、鍵穴３１に挿入された鍵が時計回りまたは反時計回りに回転することに対応して、外筒２０の中心軸を中心に時計回りまたは反時計回りに回転する。
【００１８】
外筒２０は、鍵穴３１を露出する開口２３を有する。外筒２０は、開口２３が形成される面である正面に表示窓２６を有する。表示窓２６は、現在、開錠可能な鍵が共通鍵５０であるか固有鍵６０であるか、未使用時かを表示する。
【００１９】
シリンダ錠１０は、内部に物を収める容器を施錠するのに用いられてよい。シリンダ錠１０は、内部に電気回路または電子回路などを収める筐体を容器として施錠するのに用いられてよい。シリンダ錠１０は、例えば、パチンコ台またはスロット台などの遊技機を施錠するのに用いられてよい。遊技機は、例えば、枠、遊技機本体、およびカバーを備える。遊技機は、枠を介して遊技場の島設備に固定される。カバーは、遊技機本体に設けられた遊技盤を視認可能に覆う。
【００２０】
シリンダ錠１０は、例えば、遊技機本体が有する取付穴に設けられ、枠に対する遊技機本体の施錠を行う。遊技機本体は、錠取付部材の一例である。シリンダ錠１０は、遊技機本体に対するカバーの施錠をさらに行う。例えば、共通鍵５０または固有鍵６０がシリンダ錠１０に対して時計回りに回転されることで、シリンダ錠１０は、枠に対する遊技機本体の施錠状態を開錠状態にする。また、共通鍵５０または固有鍵６０がシリンダ錠１０に対して反時計回りに回転されることで、シリンダ錠１０は、遊技機本体に対するカバーの施錠状態を開錠状態にする。
【００２１】
シリンダ錠１０の出荷時には、設置場所の固有鍵６０のキーコードが不明である場合が多い。例えば、複数のホールに用いられる大量の遊技機がトラックで輸送されることがある。また、大量の遊技機が一旦流通倉庫に保管された後、各ホールに分配されることがある。また、ホールに設置される遊技機の台数が変更されることもある。このように、遊技機は、設置されるまでどのホールに設置されるか確定できない場合が多い。
【００２２】
そこで、シリンダ錠１０は、ホールへの設置時の便宜性を確保するために、開錠可能なキーコードとして、共通鍵５０のキーコードが設定された状態で出荷される。開錠可能なキーコードとして共通鍵５０のキーコードが設定されていることで、遊技機の出荷前の検査、または着荷後の検査を容易に実施することができる。
【００２３】
ホールの管理者は、遊技機がホールに設置された後に、共通鍵５０を用いてシリンダ錠１０のキーコードをリセットして、そのホールに固有の固有鍵６０を用いて固有鍵６０のキーコードをシリンダ錠１０の施錠可能なキーコードに設定する。これにより、シリンダ錠１０は、ホールに固有の固有鍵６０でのみ開錠および施錠されることができ、セキュリティを高めることができる。
【００２４】
しかしながら、上記のように、遊技機に設けられたシリンダ錠１０のキーコードが共通鍵５０のキーコードに設定されている場合、遊技機が出荷され、ホールに設置されるまでの間に、不特定の人が入手可能な共通鍵５０を用いて遊技機に不正行為が行われる可能性がある。例えば、遊技機の流通倉庫に保管されている遊技機に対して、不正に部品交換などが行われる可能性がある。したがって、流通過程などにおいて不正にシリンダ錠１０が開錠されたことを把握できることが望ましい。
【００２５】
そこで、本実施形態に係るシリンダ錠１０は、流通過程などにおいて不正にシリンダ錠１０が開錠されたことを把握するためのフラグとして機能する移動部材３６を鍵穴３１の内部に有する。移動部材３６は、鍵穴３１に挿入可能な共通鍵５０などの挿入部材が鍵穴３１に挿入される過程で挿入部材に押されて第１位置から移動し、かつ挿入部材が鍵穴３１から抜かれる過程で第１位置に戻らない。移動部材３６は、第１位置において、鍵穴３１の少なくとも一部を覆ってもよい。そして、移動部材３６は、挿入部材が鍵穴３１に挿入されることにより押されることで、鍵穴３１の少なくとも一部を覆う第１位置から第１位置より広く鍵穴を露出させる第２位置へ移動してよい。移動部材３６は、例えば、挿入部材により押されることで、鍵穴３１に対して垂直方向下方に移動する。移動部材３６は、挿入部材が挿入されることで押されることで、鍵穴３１を完全に露出してよい。移動部材３６は、共通鍵５０または固有鍵６０が鍵穴３１に挿入されることを妨げない範囲で鍵穴３１を露出させる位置を第２位置として移動してよい。
【００２６】
ここで、移動部材３６は、第１位置から第２位置に移動した後、共通鍵５０などの挿入部材が鍵穴３１から抜かれる過程で元の位置には戻らない。つまり、移動部材３６は、一度第２位置に移動すると、第１位置には戻らない。移動部材３６は、第２位置に移動した後は、第２位置に留まってもよい。
【００２７】
上記ように、鍵穴３１に挿入可能な挿入部材が挿入されると移動部材３６は、第１位置から第２位置に移動して、第１位置には戻らない。したがって、移動部材３６が第１位置から移動しているか否かを確認することで、流通過程などにおいて不正にシリンダ錠１０が開錠されたことを把握できる。移動部材３６が第１位置において鍵穴３１の少なくとも一部を覆っている場合には、移動部材３６が鍵穴３１の少なくとも一部を覆っているか否かを確認することで、流通過程などにおいて不正にシリンダ錠１０が開錠されていないことを把握できる。これにより、本実施形態に係るシリンダ錠１０によれば、設置前にシリンダ錠１０が開錠された可能性があれば、遊技機に不正が行われている可能性があることを容易に把握できる。よって、遊技機に対して不正に部品交換が行われたことを気づかずに、その遊技機がホールで利用されることを防止できる。
【００２８】
図２は、シリンダ錠１０の分解斜視図の一例を示す図である。シリンダ錠１０は、外筒２０、内筒３０、第１仕切盤３３、表示盤３４、第２仕切盤３５、移動部材３６、リセットボタン４０、および背面カバー２４を備える。
【００２９】
外筒２０は、正面に開口２３および表示窓２６を有する。外筒２０には、取り付けフランジ２２が一体的に形成されている。シリンダ錠１０は、取り付けフランジ２２を介して遊技機などが有する錠取付部材に形成された取付穴に設置される。
【００３０】
内筒３０は、鍵穴３１を含む。内筒３０は、鍵の回転に応じて外筒２０の中心軸を中心に回転する。背面カバー２４は、内筒３０の出力軸３２を外部に露出した状態で、内筒３０の背面を覆う。出力軸３２は、外部の施錠ユニットと機械的に連結される。出力軸３２が回転することに応じて施錠ユニットが施錠対象の開錠および施錠を行う。
【００３１】
ユーザは、共通鍵５０のキーコードに設定されているシリンダ錠１０に対して、共通鍵５０、または固有鍵６０を用いて、シリンダ錠１０の開錠または施錠を行うことができる。ユーザは、キーコードをリセットする場合、例えば、リセットボタン４０を中心軸と垂直な方向下方に押下しながら、共通鍵５０を用いて、キーコードをリセットさせるためのリセット位置に内筒３０を回転させる。リセット位置に内筒３０を回転させた後、ユーザは、鍵穴３１に新たな固有鍵６０を挿入して、内筒３０を再び施錠位置まで回転させることで、シリンダ錠１０のキーコードを新たな固有鍵６０に固有のキーコードに変更することができる。
【００３２】
表示窓２６は、開錠可能な鍵が共通鍵５０の場合、第１表示態様を表示する。表示窓２６は、開錠可能な鍵が固有鍵６０の場合、第２表示態様を表示する。さらに、表示窓２６は、鍵穴３１に共通鍵５０などの挿入部材が一度も挿入されていない未使用状態の場合、第３表示態様を表示する。第１表示態様、第２表示態様、および第３表示態様は、シリンダ錠１０の現在の状態が目視で確認できる態様であれば、どのような態様でもよい。第１表示態様、第２表示態様、および第３表示態様は、例えば、色、模様などの違いにより区別されてもよい。例えば、第１表示態様は「赤」、第２表示態様は「黒」、第３表示態様は「青」で示されてよい。
【００３３】
移動部材３６は、外筒２０内に移動可能に収容される。移動部材３６は、鍵穴３１の少なくとも一部を覆う第１位置にある場合、第３表示態様を示す第３表示領域として表示窓２６を介して目視可能に露出される。つまり、シリンダ錠１０が、鍵穴３１に共通鍵５０などの挿入部材が一度も挿入されていない未使用状態の場合、表示窓２６から移動部材３６が第３表示態様として目視可能に露出されている。移動部材３６は、挿入部材が鍵穴３１に挿入される過程で、挿入部材に押されることにより、例えば、中心軸に対して垂直方向下方の第２位置に移動して、表示窓２６から目視可能に露出されなくなる。
【００３４】
なお、本実施形態では、移動部材３６は、鍵穴３１の垂直方向下方に移動する例について説明する。しかし、移動部材３６は、他の方向に移動してよい。移動部材３６は、鍵穴３１の垂直方向上方に移動してもよい。あるいは、移動部材３６は、鍵穴３１の水平方向に移動してもよい。
【００３５】
第２仕切盤３５は、外筒２０内の表示盤３４と移動部材３６との間に回転不可能に収容される。第２仕切盤３５は、透明または半透明な光透過部材により形成されてよい。第２仕切盤３５は、表示盤３４の回転に伴い移動部材３６が移動することを防止する。第１仕切盤３３は、外筒２０内の表示盤３４と内筒３０との間に回転不可能に収容される。第１仕切盤３３は、内筒３０の回転に伴い表示盤３４が回転することを防止する。
【００３６】
表示盤３４は、移動部材３６が第２位置にある場合、その一部が表示窓２６から目視可能に露出され、開錠可能なキーコードを有する現在の鍵の種類を提示する。表示盤３４は、開錠可能な鍵が共通鍵５０である第１表示態様を示す第１表示領域３７および第１表示態様とは異なる、開錠可能な鍵が固有鍵６０である第２表示態様を示す第２表示領域３８を含む。
【００３７】
表示窓２６は、移動部材３６が第２位置にあり、開錠可能である鍵が共通鍵５０である場合、第１表示領域の少なくとも一部を第１表示態様として目視可能に露出する。表示窓２６は、移動部材３６が第２位置にあり、開錠可能である鍵が固有鍵６０である場合、第２表示領域の少なくとも一部を第２表示態様として目視可能に露出する。なお、本実施形態では、移動部材３６が第２位置に移動した後、表示窓２６から目視可能に露出されなくなる。しかし、移動部材３６が第２位置に移動した後、移動部材３６が表示窓２６から完全に目視できない状態まで移動しなくてもよい。移動部材３６は、第１位置にある場合よりも表示窓２６から目視しにくくなる程度に移動するだけでもよい。つまり、移動部材３６が第２位置に移動した後も、表示窓２６から、表示盤３４に含まれる第１表示領域３７または第２表示領域３８とともに、移動部材３６の一部が目視可能に露出されていてもよい。
【００３８】
表示盤３４は、切り欠き部３９を有する。鍵穴３１に挿入されている鍵が共通鍵５０である場合、共通鍵５０の回転経路上に切り欠き部３９が介在する。よって、共通鍵５０が回転すると、切り欠き部３９を介して表示盤３４が回転する。一方、鍵穴３１に挿入されている鍵が固有鍵６０である場合、固有鍵６０の回転経路上に切り欠き部３９が介在しない。よって、固有鍵６０が回転しても、表示盤３４は回転しない。
【００３９】
図３は、移動部材３６が第１位置にある場合のシリンダ錠１０を正面から見た図である。図３では、移動部材３６の全体を実線で描いている。しかし、実際には、移動部材３６が第１位置にある場合、移動部材３６の一部のみが、外筒２０の開口２３から露出している状態である。
【００４０】
移動部材３６は、第１位置にある場合、外筒２０の内壁のうち鍵穴３１から水平方向にある部分で支持され、かつ外筒の内壁のうち鍵穴３１から垂直方向にある部分と離間している。移動部材３６は、外筒の内壁のうち鍵穴３１から垂直方向下方にある部分と離間していてよい。なお、水平方向は、第１方向の一例であり、垂直方向は、第１方向とは異なる第２方向の一例である。また、移動部材３６の形状は、図３に示す形状には限定されない。外筒２０または内筒３０の形状、表示窓２６の有無などによって適宜変形されてよい。また、移動部材３６は、板状部材でなくてもよい。鍵穴３１の一部を覆う状態から、鍵穴３１に挿入される挿入部材の挿入過程で挿入部材により押されて、鍵穴３１をより広く露出する状態、あるいは共通鍵５０または固有鍵６０の挿入経路から待避する状態に移動可能な部材であれば、ブロック状の部材など他の形状の部材でもよい。
【００４１】
外筒２０の内壁のうち鍵穴３１から水平方向には、第１凹部２７が形成されており、移動部材３６は、第１位置にある場合、第１凹部２７に係止されてよい。
【００４２】
移動部材３６は、第１位置にある場合、鍵穴３１の一部を覆い、かつ表示窓２６を介して、目視可能に露出されている。この状態で、鍵穴３１に共通鍵５０などの挿入部材が挿入されると、鍵穴３１に挿入部材が挿入される過程で移動部材３６は垂直方向下方に押されて、第１凹部２７からはずれて第１位置から垂直方向である第２方向にある第２位置に移動する。外筒２０の内壁のうち第１凹部２７の垂直方向下方には、第２凹部２８が形成されており、移動部材３６が第２位置に移動すると、移動部材３６は、第２凹部２８に係止される。
【００４３】
ここで、移動部材３６は、シリンダ錠１０の開錠または施錠を行う共通鍵５０または固有鍵６０以外の挿入部材により、第１位置から第２位置に移動されてよい。移動部材３６は、シリンダ錠１０の使用を開始する前に、専用の初期操作治具を用いて、第１位置から第２位置に移動されてよい。
【００４４】
図４は、初期操作治具７０がシリンダ錠１０の鍵穴３１に挿入される様子を示すシリンダ錠１０の斜視図の一例を示す。図５は、初期操作治具７０がシリンダ錠１０の鍵穴３１に挿入される様子を示すシリンダ錠１０の断面図の一例を示す。図６は、初期操作治具７０がシリンダ錠１０の鍵穴３１に挿入された状態を示す断面図の一例を示す。
【００４５】
初期操作治具７０は、移動部材３６を垂直方向下方に押しやすくするための傾斜部７４が形成された挿入部７２を有する。初期操作治具７０が鍵穴３１に挿入される過程で、移動部材３６が傾斜部７４により垂直方向下方に押され、図６に示すように、移動部材３６は第１位置から第２位置に移動する。
【００４６】
図７は、移動部材３６が第２位置にある場合のシリンダ錠１０を表面から見た図である。図７では、移動部材３６の全体を実線で描いている。しかし、実際には、移動部材３６は、外筒２０の開口２３および表示窓２６から目視可能に露出されていない。
【００４７】
移動部材３６は、鍵穴３１に挿入部７２などの挿入部材が挿入される過程で、垂直方向下方に押されて、第１位置から第２位置に移動し、第２凹部２８に係止される。これにより、鍵穴３１が移動部材３６により覆われなくなり、表示窓２６から表示盤３４が目視可能に露出される。移動部材３６は、挿入部材が抜かれる過程で、第１位置には戻らない。移動部材３６は、挿入部材が抜かれる過程で、第２位置に留まる。
【００４８】
表示窓２６から移動部材３６が目視可能に露出されず、表示盤３４が目視可能に露出されている場合には、鍵穴３１に挿入部材が挿入され、シリンダ錠１０の開錠操作が少なくとも１回、行われた可能性があることを示す。よって、流通過程などにおいて不正にシリンダ錠１０が開錠されたことを把握できる。遊技機を設置前にシリンダ錠１０が開錠された可能性があれば、遊技機に不正が行われている可能性があることを容易に把握できる。よって、遊技機の部品交換が不正に行われたことに気付かず、その遊技機がホールで利用されることを防止できる。
【００４９】
図８は、移動部材３６が第２位置にある場合に、共通鍵５０が鍵穴３１に挿入される様子を示すシリンダ錠１０の断面図の一例を示す。図９は、移動部材３６が第２位置にある場合に、共通鍵５０が鍵穴３１に挿入された状態を示すシリンダ錠１０の断面図の一例を示す。
【００５０】
図８に示すように、移動部材３６が第２位置にある場合、移動部材３６は、共通鍵５０の挿入経路上から待避している。よって、移動部材３６は、共通鍵５０の鍵穴３１への挿入を妨げない。なお、図９に示すように、共通鍵５０の挿入部５２には、図２に示す表示盤３４の切り欠き部３９に対応する位置に凸部５４が形成されている。そして、共通鍵５０が回転する場合、凸部５４が表示盤３４の切り欠き部３９に接触して、表示盤３４が回転する。
【００５１】
図１０は、移動部材３６が第２位置にある場合に、固有鍵６０が鍵穴３１に挿入される様子を示すシリンダ錠１０の断面図の一例を示す。図１１は、移動部材３６が第２位置にある場合に、固有鍵６０が鍵穴３１に挿入された状態を示すシリンダ錠１０の断面図の一例を示す。
【００５２】
図１０に示すように、移動部材３６が第２位置にある場合、移動部材３６は、固有鍵６０の挿入経路上から待避している。よって、移動部材３６は、固有鍵６０の鍵穴３１への挿入も妨げない。
【００５３】
以上、本実施形態に係るシリンダ錠１０によれば、移動部材３６の状態を確認することで、シリンダ錠１０の鍵穴３１に少なくとも一回、なんらかの挿入部材が挿入されたことを把握できる。したがって、設置前にシリンダ錠１０が開錠された可能性があれば、遊技機に不正が行われている可能性があることを容易に把握できる。よって、遊技機に対して不正に部品交換が行われたことを気づかずに、その遊技機がホールで利用されることを防止できる。
【００５４】
シリンダ錠１０が使用されたかどうかを確認するための手法として、鍵穴３１を覆うように未開封シール、封印シールなどと称されるシールを貼っておくことも考えられる。しかし、このようなシールは、比較的に容易に入手できる場合もある。したがって、シリンダ錠１０が開けられた後に、新しいシールが貼り付けられることで、不正に気づかない可能性がある。一方、本実施形態に係るシリンダ錠１０によれば、移動部材３６は、第２位置に移動してしまうと、外筒２０の内部に収まってしまうので、元の位置に戻すのは困難である。したがって、上記のようなシールに比べて、不正行為をより見逃しにくくできる。
【００５５】
なお、上記の実施形態では、移動部材３６は、第１位置にある場合、鍵穴３１の一部を覆うとともに、表示窓２６から目視可能に露出しており、第２位置に移動すると、鍵穴３１を覆わず、表示窓２６から目視可能に露出されなくなる例について説明した。言い換えれば、上記の実施形態では、表示窓２６の表示態様を確認することで、シリンダ錠１０の鍵穴３１に少なくとも一回、なんらかの挿入部材が挿入されたことを確認できる例について説明した。しかし、移動部材３６の位置によって、表示窓２６に表示されている態様を変化させなくてもよい。移動部材３６は、例えば、第１位置にある場合、鍵穴３１の一部を覆うだけで、表示窓２６から目視可能に露出されていなくてもよい。そして、第２位置に移動すると、移動部材３６が鍵穴３１を覆わなくなるだけでよい。この場合、ユーザは、例えば、鍵穴３１から移動部材３６が目視可能に露出しているか否かを確認することで、シリンダ錠１０の鍵穴３１に少なくとも一回、なんらかの挿入部材が挿入されたことを把握してよい。
【００５６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５８】
１０  シリンダ錠
２０  外筒
２２  取り付けフランジ
２３  開口
２４  背面カバー
２６  表示窓
２７  第１凹部
２８  第２凹部
３０  内筒
３１  鍵穴
３２  出力軸
３３  第１仕切盤
３４  表示盤
３５  第２仕切盤
３６  移動部材
３７  第１表示領域
３８  第２表示領域
３９  切り欠き部
４０  リセットボタン
５０  共通鍵
５２  挿入部
６０  固有鍵
７０  初期操作治具
７２  挿入部
７４  傾斜部
【図１】
0006365090.tif 000002
【図２】
0006365090.tif 000003
【図３】
0006365090.tif 000004
【図４】
0006365090.tif 000005
【図５】
0006365090.tif 000006
【図６】
0006365090.tif 000007
【図７】
0006365090.tif 000008
【図８】
0006365090.tif 000009
【図９】
0006365090.tif 000010
【図１０】
0006365090.tif 000011
【図１１】
0006365090.tif 000012